(57)【要約】【課題】照星の調整をより簡単にかつより短時間で行うことが可能な照星調整具を提供する。【解決手段】８９式５．５６ｍｍ小銃の照星の上下位置を調整可能な照星調整具１０は、照星を調整する際に作業者が把持可能な棒状部材１１と、棒状部材１１の一端方向に開口する円形の開口部１６を有し、棒状部材１１を一端方向に移動させることで開口部１６から照星の一部を内部に収容可能な照星収容部１２と、開口部１６の外縁に均等に配置され、開口部１６から一端方向へ向けて突設される突出部１３であって、照星の一部が照星収容部１２に収容される際に照星の４つの切り欠きに嵌合する４つの突出部１３と、照星の軸を中心とする照星調整具１０の回転を作業者に識別させる識別部１８と、を備える。【選択図】図１
0003173747.tif 000002
【実用新案登録請求の範囲】
【請求項１】
８９式５．５６ｍｍ小銃の照星の上下位置を調整可能な照星調整具であって、
前記照星を調整する際に作業者が把持可能な棒状部材と、
前記棒状部材の一端方向に開口する円形の開口部を有し、前記棒状部材を前記一端方向に移動させることで前記開口部から前記照星の一部を内部に収容可能な照星収容部と、
前記開口部の外縁に均等に配置され、前記開口部から前記一端方向へ向けて突設される突出部であって、前記照星の一部が前記照星収容部に収容される際に前記照星の４つの切り欠きに嵌合する４つの突出部と、
前記照星の軸を中心とする前記照星調整具の回転を作業者に識別させる識別部と、
を備えることを特徴とする照星調整具。
【請求項２】
請求項１に記載の照星調整具であって、
前記識別部は、作業者が視認可能な標識である、
ことを特徴とする照星調整具。
【請求項３】
請求項２に記載の照星調整具であって、
前記標識は、前記照星調整具の外側面に付される、
ことを特徴とする照星調整具。
【請求項４】
請求項３に記載の照星調整具であって、
前記標識は、前記照星収容部の外側面に付される、
ことを特徴とする照星調整具。
【請求項５】
請求項４に記載の照星調整具であって、
前記標識は、前記照星の切り欠きに前記突出部が嵌合した場合に、前記照星の先端が前記照星収容部内で到達する位置に対応する、前記照星収容部の軸方向位置に付される、
ことを特徴とする照星調整具。
【請求項６】
請求項２から請求項５までのいずれか一項に記載の照星調整具であって、
前記標識は、前記突出部を通過する突出方向に沿った直線上に付される、
ことを特徴とする照星調整具。
【請求項７】
請求項２から請求項６までのいずれか一項に記載の照星調整具であって、
前記標識は、他の面と識別可能な色彩、模様、及び形状のうち少なくとも一つを有する、
ことを特徴とする照星調整具。
【請求項８】
請求項１に記載の照星調整具であって、
前記識別部は、作業者が触覚によって識別可能な標識である、
ことを特徴とする照星調整具。
【考案の詳細な説明】
【技術分野】
【０００１】
本考案は、８９式５．５６ｍｍ小銃の照星の調整に用いる照星調整具に関する。
【背景技術】
【０００２】
火薬の急激な燃焼反応によって発生する圧力によって弾丸を射出する兵器として、小銃が知られている。小銃は、主に銃身と銃床とから構成され、銃身の上部には、小銃を標的に向けて狙いを定めるための照準器が設けられる。小銃の照準器として一般的に用いられる照準器は、銃身の前方側に設けられる突起状の照星と、銃身の後端側に設けられる環孔状の照門、とから構成される。射手は、小銃を構えた状態で照星を標的に一致させ、さらに照星が照門の環孔内に収まるように小銃の向きを調整する。
【０００３】
しかし、小銃から射出された弾丸は放物線を描いて飛翔するのに対して、射手と標的とを結ぶ線（光が進む線）は直線である。よって、狙点を標的に合わせても狙点と着弾点とは必ずしも一致しない。また、狙点と着弾点とのずれは、射手から標的までの距離に応じて変化する。さらに、このずれは小銃の個体差によっても生じる。
【０００４】
そこで、射手は、状況に応じて照門及び照星の位置を微調整する必要がある。例えば、陸上自衛隊で主に使用されている８９式５．５６ｍｍ小銃では、照星を上下に調整することが可能である。照星は、銃身の上部前方側に設けられるマウント上に螺刻されたネジ穴に螺設される。照星は、時計回りに回転させると下降させることができ、反時計回りに回転させると上昇させることができる。
【考案の概要】
【考案が解決しようとする課題】
【０００５】
照星の調整が完了した後に、小銃の移動や発砲による衝撃によって照星が回転し、上下に移動することを防止するため、照星にはロック機構が設けられる。ロック機構は、照星が螺設されるマウントに埋設され上方へとバネによって付勢される円柱状のロックピンと、照星の下方に形成される拡径部の外周に複数設けられる切り欠きと、から構成される。つまり、ロックピンは常に拡径部のいずれかの切り欠きに嵌合されて照星の回転をロックしている。
【０００６】
照星の調整を行う場合、バネによって付勢される円柱状のロックピンを先細り形状の調整棒によって切り欠きより下方へと押し込み、押し込んだ状態のままで照星を回転させる。よって、照星の調整に時間を要する上、手間がかかる。さらに、照星の調整時に銃床が一旦肩から離れることにより、調整後に改めて照準を定め直す必要があり、即応性に欠けるという問題があった。
【０００７】
本考案の目的は、照星の調整をより簡単にかつより短時間で行うことが可能な照星調整具を提供することである。
【課題を解決するための手段】
【０００８】
本考案のある態様によれば、８９式５．５６ｍｍ小銃の照星の上下位置を調整可能な照星調整具であって、照星を調整する際に作業者が把持可能な棒状部材と、棒状部材の一端方向に開口する円形の開口部を有し、棒状部材を一端方向に移動させることで開口部から照星の一部を内部に収容可能な照星収容部と、開口部の外縁に均等に配置され、開口部から一端方向へ向けて突設される突出部であって、照星の一部が照星収容部に収容される際に照星の４つの切り欠きに嵌合する４つの突出部と、照星の軸を中心とする照星調整具の回転を作業者に識別させる識別部と、を備えることを特徴とする照星調整具が提供される。
【考案の効果】
【０００９】
この態様によれば、照星の上下位置を調整する際、照星調整具を一端方向に移動させることで、照星調整具の４つの突出部が照星の４つの切り欠きにそれぞれ嵌合するので、いずれかの切り欠きに嵌合しているロックピンを押し下げることができ、ロックピンを押し下げた状態で照星調整具を回転させることで、照星を所望の方向に回転させることができる。よって、照星の上下位置をより簡単にかつより短時間で調整することができる。さらに、照星調整具の回転は識別部によって識別可能であるので、照星を調整する作業者が照星の回転量を容易に把握することができ、照星の調整をより確実に行うことができる。
【図面の簡単な説明】
【００１０】
【図１】本考案の実施形態における照星調整具の概略構成図である。
【図２】８９式５．５６ｍｍ小銃の照星部分を拡大して示す拡大図である。
【図３】照星調整具の使用方法を説明するための図である。
【考案を実施するための形態】
【００１１】
以下、添付図面を参照しながら本考案の実施形態について説明する。
【００１２】
図１は、本実施形態における照星調整具１０を示す概略構成図である。（ａ）は照星調整具１０の正面図であり、（ｂ）は（ａ）の照星調整具１０を上方から見て時計回りに４５度回転させた状態を示す図であり、（ｃ）は（ａ）の照星調整具１０を下方から見た図である。
【００１３】
図２は、８９式５．５６ｍｍ小銃の照星３０を拡大して示す拡大図である。（ａ）は、銃身４０の上部に設けられた照星３０を銃身４０の軸方向に沿って銃床側から見た図である。（ｂ）は、（ａ）の照星３０を図中上方から見た図である。
【００１４】
初めに、図２を参照しながら、８９式５．５６ｍｍ小銃の照星３０について説明する。照星３０は、銃身４０の上部であって銃身４０の前端４１側に設けられるマウント５０上に設けられる。マウント５０は銃身４０に固設され、上面に照星３０を螺設するネジ穴が螺刻されている。マウント５０はさらに、図中左右端から上方へとＵ字状に延設されるサイトガード５１を備える。サイトガード５１は、照星３０に障害物が衝突することによる照星３０の破損を防止する。
【００１５】
照星３０は、上端のポスト部３１と、ポスト部３１を支持するベース部３２と、ベース部３２をマウント５０のネジ穴に螺設するネジ部３３と、から構成される。
【００１６】
ポスト部３１は、射手が照準を定める際に狙点に重合させる突起である。ベース部３２は、ポスト部３１を支持するようにポスト部３１より大径に設定される。ベース部の下部は、図２（ｂ）に示すように円形状であって外周に４つの切り欠き３４を有する。
【００１７】
ネジ部３３は、マウント５０のネジ穴に螺設され、照星３０の回転に応じてネジ穴の軸方向に上下する。
【００１８】
マウント５０及び照星３０には、照星３０の回転をロックするロック機構が設けられる。ロック機構は、マウント５０に埋設され、上方へとバネによって付勢される円柱状のロックピン５２と、ベース部３２に形成される４つの切り欠き３４と、から構成される。ロックピン５２は、バネによってマウント５０上の孔５３から上方へと飛び出た状態で静止し、照星３０のベース部３２のいずれかの切り欠き３４に嵌合する。これにより、小銃の移動や発砲による衝撃によって照星３０が回転し、上下に移動することが防止される。
【００１９】
次に、図１を参照しながら、本実施形態における照星調整具１０について説明する。
【００２０】
照星調整具１０は、円柱状の本体部１１と、本体部１１の下端から図中下方へと延設される照星収容部１２と、照星収容部１２の下端から下方へと突設される突出部１３と、から構成される。
【００２１】
本体部１１は、照星３０の調整時に射手が照星調整具１０を回転させるために握るグリップ部を兼ねている。本体部１１は、円柱状に限らず、中空の円筒状としてもよいし、その他の断面形状を有する形であってもよい。本体部１１の上部には、本体部１１を貫通する貫通孔１４が設けられ、貫通孔１４に紐などを通すことで射手が照星調整具１０を携帯する際の利便性を向上させている。
【００２２】
照星収容部１２は、本体部１１より径が小さく、照星３０を内部に収容する収容室１５を有する。収容室１５は図中下方へ開口する円柱状の空間であり、収容室１５の開口部１６から最奥部１７までの距離は、照星３０の高さより長く設定される。つまり、照星収容部１２は内部に空洞を有する円筒状に形成される。
【００２３】
照星収容部１２は、さらに、外側面に目印としての白点１８を有する。白点１８は、突出部１３のうちの一つの突出部１３を通過する突出方向（本体部の軸方向）に沿った直線上に配置される。照星調整時には、照星調整具１０を回転させるので、回転に伴って白点１８の左右位置が変化することで、射手が照星調整具１０の回転量を容易に視認することができる。
【００２４】
白点１８の上下位置は、射手が照星３０を調整する際に目視可能な程度の位置に設定される。白点１８は、必ずしも白色である必要はなく、射手が識別可能なあらゆる色に設定可能である。また、白点１８は夜光塗料などを使用して夜間の視認性を向上させるようにしてもよい。
【００２５】
さらに、白点１８を付す位置に窪みを設け、窪みの中に白色塗料を塗付してもよい。これにより、照星調整具１０を携行している際に照星調整具１０が他の装備と接触して白点が薄くなることを防止することができる。
【００２６】
突出部１３は、照星収容部１２の開口部１６の外縁に均等に配置され、開口部１６から下方へ向けて４つ突設される。８９式５．５６ｍｍ小銃の照星３０は、上述のように４つの切り欠き３４を有するため、突出部１３は、４つの切り欠き３４に嵌合するように寸法及び位置が設定される。
【００２７】
次に、照星調整具１０を使用して照星３０を回転させる方法について図３を参照しながら説明する。
【００２８】
初めに、照星調整具１０を照星３０の上方に位置させ、突出部側を照星３０へ向ける。
【００２９】
続いて、照星調整具１０を下降させ、照星３０を照星収容部１２内に収容しながら、４つの突出部１３を照星３０の４つの切り欠き３４にそれぞれ嵌め込む。これにより、バネによって上方へと付勢される円柱状のロックピン５２が突出部１３によって下方へと押し戻され、照星３０のロックが解除される。
【００３０】
続いて、照星調整具１０を回転させて照星３０の上下方向の位置を調整する。この時、照星収容部１２の外側面に付与された白点１８が照星調整具１０の回転に応じて左右方向に移動するので、射手が照星３０の回転量を容易に視認することができる。
【００３１】
続いて、照星調整具１０を上方へと引き抜いて照星３０の調整を終了する。
【００３２】
以上のように本実施形態では、照星３０の上下位置を調整する際、照星調整具１０を照星３０へ向けて下方へと移動させることで、照星調整具１０の４つの突出部１３がベース部３２の４つの切り欠き３４にそれぞれ嵌合するので、いずれかの切り欠き３４に嵌合しているロックピン５２を押し下げることができ、ロックピン５２を押し下げた状態で照星調整具１０を回転させることで、照星３０を所望の方向に回転させることができる。よって、照星３０の上下位置をより簡単にかつより短時間で調整することができる。さらに、照星調整具１０の回転は白点１８によって識別可能であるので、照星３０を調整する射手が照星３０の回転量を容易に把握することができ、照星３０の調整をより確実に行うことができる。
【００３３】
さらに、白点１８は、照星調整具１０の外側面に付されるので、照星調整具１０の回転によって白点が左右方向に移動し、これにより照星調整具１０の回転量を視認することができるので、より確実に照星３０を調整することができる。
【００３４】
さらに、白点１８は、照星収容部１２の外側面に付されるので、特に射手が照門を通して照星３０を視認した状態で照星３０の上下位置を調整することができ、より確実に照星３０を調整することができる。
【００３５】
さらに、白点１８は、照星３０の切り欠き３４に突出部１３が嵌合した場合に、照星３０のポスト部３１が照星収容部１２内で到達する位置に対応する、本体部１１の軸方向位置に付されるので、照星３０を視認した状態で照星３０の上下位置を調整する際に、射手が視線を変化させることなく照星調整具１０の回転量を視認することができる。
【００３６】
さらに、白点１８は、突出部１３を通過する突出方向に沿った直線上に付されるので、照星調整具１０を照星３０に嵌め込む際に突出部１３と照星３０の切り欠き３４との位置関係をより迅速に把握することができる。
【００３７】
以上、本考案の実施形態について説明したが、上記実施形態は本考案の適用例を示したものに過ぎず、本考案の技術的範囲を上記実施形態の具体的構成に限定する趣旨ではない。本考案の趣旨を逸脱しない範囲で種々の変更が可能である。
【００３８】
例えば、照星収容部１２には目印としての白点１８を付したが、これに限定されることなく、射手が視認可能な標識であればその他の構成（色彩、模様、及び形状）であってもよい。
【００３９】
また、上記実施形態では、照星調整具１０に目印としての白点１８を付したが、これに代えて、射手が触覚によって知覚可能な標識（突起や溝など）を付してもよい。
【００４０】
さらに、上記実施形態では、照星調整具１０の本体部１１の断面形状を円形状としたが、これに代えて、楕円、三角形、長方形、多角形などの形状としてもよい。これにより、目印としての白点を有していなくても、射手の触覚によって照星調整具１０の回転量を知覚することができる。
【符号の説明】
【００４１】
１０  照星調整具
１１  本体部（棒状部材）
１２  照星収容部
１３  突出部
１６  開口部
１８  白点（識別部）
３０  照星
３４  切り欠き
【図１】
0003173747.tif 000003
【図２】
0003173747.tif 000004
【図３】
0003173747.tif 000005